(57)【要約】【課題】シンプルな構成で、処理済の通行券その他の券を、整然と且つ処理順に回収し得る通行券等回収ユニットを提供することを課題とする。【解決手段】回収した券２１を受入れるホッパー２と、ホッパー２の下に配置されて、ホッパー２から１枚ずつ落下してくる券２１をその底面の傾斜受け面９で受けて積層状態に保管するストッカー３とから成り、ホッパー２から傾斜状態にて落下してくる券２１は、ストッカー３を構成する垂直壁１０に当たって落下速度を落としつつ、垂直壁１０に沿って垂直姿勢で傾斜受け面９上に落ち、傾斜受け面９に沿って傾斜姿勢となって積層される。【選択図】図１
2020129347.tif 000002
【特許請求の範囲】
【請求項１】
回収した券を受入れるホッパーと、前記ホッパーの下に配置されて、前記ホッパーから１枚ずつ落下してくる券をその底面の傾斜受け面で受けて積層状態に保管するストッカーとから成り、
前記ホッパーから傾斜状態にて落下してくる前記券は、前記ストッカーを構成する垂直壁に当たって落下速度を落としつつ、前記垂直壁に沿って垂直姿勢で前記傾斜受け面上に落ち、前記傾斜受け面に沿って傾斜姿勢となって積層されることを特徴とする通行券等回収ユニット。
【請求項２】
回収した券を受入れるホッパーと、前記ホッパーの下に配置されて、前記ホッパーから１枚ずつ落下してくる券を受けて積層状態に保管するストッカーとから成り、
前記ホッパーは、急傾斜面と前記急傾斜面よりも緩やかな緩傾斜面を対向面として有する四角錐状のもので、前記急傾斜面の下辺と前記緩傾斜面の下辺との間に、前記券を通過させる横長の開口を有し、
前記ストッカーは、クランク形状にされた垂直壁と段部と背面壁とから成る折曲壁と、前記折曲壁の両側に連設される側板と、底面に配置されて、前記段部の幅分前記垂直壁よりも奥に位置する前記背面壁の下端に向かって下り傾斜する傾斜受け面とにより構成され、
前記ホッパーは、その開口が前記側板間の前記垂直壁の上端より少し下がった位置にくるように配置され、前記ホッパーの緩傾斜面を滑落して開口から出る前記券が、前記垂直壁に当たって垂直に姿勢変更した後前記傾斜受け面上に落ち、前記傾斜受け面上に傾倒しつつ、その下端が前記傾斜受け面の下端部にまで滑動可能にしたことを特徴とする通行券等回収ユニット。
【請求項３】
前記傾斜受け面は、３０〜４０度の範囲の傾斜面である、請求項１又は２に記載の通行券等回収ユニット。
【請求項４】
前記段部の幅は、前記券の長さの３分の１〜６分の１に設定される、請求項２又は３に記載の通行券等回収ユニット。
【発明の詳細な説明】
【技術分野】
【０００１】
本発明は通行券等回収ユニットに関するものであり、より詳細には、例えば、高速道路等の有料道路において通行料金を徴収するために使用される通行券その他の券類を、料金精算機等の自動処理機において処理した後、処理順に整然と積重して回収することができる通行券等回収ユニットに関するものである。
【背景技術】
【０００２】
例えば、高速道路等の有料道路において通行料金を徴収するために、出口料金所に料金精算機が設置され、車両運転者は、有料道路の入口で受領した磁気式通行券を料金精算機の精算用スロットに挿入すると、その磁気部が読み取られて通行料金が表示され、表示された金額の支払いを行うことによりゲートが開いて通り抜け可能となる。磁気部の読み取りが行われた通行券は、精算用スロットに続く搬送部を経て通行券回収ユニットに回収され、適量溜まったところで料金精算機から取り出される。
【０００３】
通行券回収ユニットは一般に、搬送部の端部下方に配置されて、搬送部の端部から落下してくる通行券を受け入れる箱状容器であるが、それが単なる箱状容器である場合、通行券は容器内にバラバラに落下して無秩序に重なり合うことになる。回収した通行券をそのまま廃棄してしまう場合はそれで問題ないが、回収した通行券を精算処理順に並べ替えたりする必要があるような場合は、手仕事となるため、作業にかなりの時間と労力を要することになる。
【０００４】
そこで、精算処理済の通行券を整然と且つ精算処理順に回収し得る通行券回収ユニットが要望されるが、従来このような要請に応え得る通行券回収ユニットは提唱されていない。このような問題は、通行券を処理する料金精算機に限らず、他の同種券類の自動処理機の場合にも起こり得ることである。
【先行技術文献】
【特許文献】
【０００５】
【特許文献１】特開２００３−５８９１６号公報
【特許文献２】特開２０１０−７３１３１号公報
【特許文献３】実開平６−３２４４０号公報
【発明の概要】
【発明が解決しようとする課題】
【０００６】
本発明は上記要望に応えるためになされたもので、シンプルな構成で、処理済の通行券その他の券を、整然と且つ処理順に回収し得る通行券等回収ユニットを提供することを課題とする。
【課題を解決するための手段】
【０００７】
上記課題解決するための請求項１に記載の発明は、回収した券を受入れるホッパーと、前記ホッパーの下に配置されて、前記ホッパーから１枚ずつ落下してくる券をその底面の傾斜受け面で受けて積層状態に保管するストッカーとから成り、
前記ホッパーから傾斜状態にて落下してくる前記券は、前記ストッカーを構成する垂直壁に当たって落下速度を落としつつ、前記垂直壁に沿って垂直姿勢で前記傾斜受け面上に落ち、前記傾斜受け面に沿って傾斜姿勢となって積層されることを特徴とする通行券等回収ユニットである。
【０００８】
また、上記課題解決するための請求項２に記載の発明は、回収した券を受入れるホッパーと、前記ホッパーの下に配置されて、前記ホッパーから１枚ずつ落下してくる券を受けて積層状態に保管するストッカーとから成り、
前記ホッパーは、急傾斜面と前記急傾斜面よりも緩やかな緩傾斜面を対向面として有する四角錐状のもので、前記急傾斜面の下辺と前記緩傾斜面の下辺との間に、前記券を通過させる横長の開口を有し、
前記ストッカーは、クランク形状に折曲して垂直壁と段部と背面壁を形成した折曲壁と、前記折曲壁の両側に連設される側板と、底面に配置されて、前記垂直壁よりも奥に位置している前記背面壁の下端に向かって下り傾斜する傾斜受け面とにより構成され、
前記ホッパーは、その開口が前記側板間の前記垂直壁の上端より少し下がった位置にくるように配置され、前記ホッパーの緩傾斜面を滑落して開口から出る前記券が、前記垂直壁に当たって垂直に姿勢変更した後前記傾斜受け面上に落ち、前記傾斜受け面上に傾倒しつつ、その下端が前記傾斜受け面の下端部にまで滑動可能にしたことを特徴とする通行券等回収ユニットである。
【０００９】
一実施形態においては、前記傾斜受け面は、３０〜４０度の範囲の傾斜面である。また、前記段部の幅は、前記券の長さの３分の１〜６分の１に設定される。
【発明の効果】
【００１０】
本発明に係る通行券等回収ユニットは上記構成であるので、構成がシンプルで、処理済の通行券その他の券を整然と且つ処理順に回収し得る効果があり、道路通行料金精算用の通行券を処理する料金精算機を初め、他の同種券類の自動処理装置に利用可能という効果がある。
【図面の簡単な説明】
【００１１】
【図１】本発明に係る通行券等回収ユニットの一実施形態の部分切截斜視図である。
【図２】本発明に係る通行券等回収ユニットの一実施形態の縦断面図である。
【図３】本発明に係る通行券等回収ユニットの作用を示す縦断面図である。
【図４】本発明に係る通行券等回収ユニットを組み込んだ料金精算機の構成例を示す正面図である。
【発明を実施するための形態】
【００１２】
本発明を実施するための形態につき、添付図面に依拠して説明する。以下の説明は、本発明の対象となる券が、高速道路等の有料道路において通行料金を徴収するために用いられる通行券である場合についてのものであるが、他の同種の券類の場合も通行券の場合と変わりがない。
【００１３】
本発明に係る通行券回収ユニット１は、高速道路等の有料道路において通行料金を徴収するために出口料金所に設置される料金精算機２２内の搬送部の下に配置され、搬送部から落下してくる通行券２１を回収するものであって、回収した通行券２１を受入れるホッパー２と、ホッパー２の下に配置されて、ホッパー２から１枚ずつ落下してくる通行券２１を受けて積層状態に保管するストッカー３とから成る（図１参照）。
【００１４】
ホッパー２は、垂直に近い急傾斜面４と急傾斜面４よりも緩やかな緩傾斜面５を対向面として有する四角錐状のもので、急傾斜面４の下辺と緩傾斜面５の下辺との間に、通行券２１を通過させる横長の開口６が形成される。なお、ホッパー２は、料金精算機２２内に配設されている通行券２１の収納量超過防止センサーに反応しないようにするため、透明樹脂製とされる。ストッカー３は、折曲壁７と、折曲壁７の両側に連設される側板８，８と、底面に配置されて、折曲壁７の下端（下記背面壁１２の下端）に向かって下り傾斜する傾斜受け面９によって構成される。傾斜受け面９は、後述する理由により、３５度前後の傾斜面とされる。
【００１５】
折曲壁７は、垂直壁１０と段部１１と背面壁１２とから成るクランク形状を呈するものであり、側板８，８と背面壁１２と傾斜受け面９とにより、通行券ストック空間が形成される。垂直壁１０と背面壁１２との間に段部１１があって、背面壁１２は垂直壁１０よりも奥に位置することになるため、通行券ストック空間は、一部が段部１１の幅分、垂直壁１０から奥に引っ込んだものとなる。段部１１の幅は、通行券２１の長さの３分の１〜６分の１が好適である。また、背面壁１２の高さは、通行券２１が立位にてストックされることを防止するために、通行券２１の長さよりも低くなるように形成される。
【００１６】
ホッパー２は、その開口６が、ストッカー３の側板８，８間の垂直壁１０の上端より少し下がった位置にくるように配置される。なお、ホッパー２は、ストッカー３に一体化してもよいし、別体として、それぞれ料金精算機２２内に個別に設置することとしてもよい。
【００１７】
上記構成のストッカー３とホッパー２とから成る通行券回収ユニット１は、料金精算機２２内の、通行券挿入スロット２３に続く搬送部の端部下に配置され、搬送部の端部から落下してくる通行券２１をホッパー２内に受け入れる。落下してくる通行券２１は、その下端部がホッパー２の緩傾斜面５に当たることで、緩傾斜面５に沿って傾倒し、開口６に向かう（図２、図３（Ａ）参照）。ホッパー２の急傾斜面４と緩傾斜面５は、開口６に向かって幅狭となっているため、通行券２１は跳ねたりすることなく、緩傾斜面５に沿って傾倒したまま整然と開口６に導かれる。
【００１８】
通行券２１は、緩傾斜面５に沿って傾倒したまま開口６から出て行くため、その下半部が開口６から出たところで下端が垂直壁１０に衝突してブレーキがかかり、落下速度を落としつつ、垂直壁１０に沿って滑り落ちていく（図２、図３（Ａ）、（Ｂ）参照）。このように通行券２１は、開口６から抜け出る際に、緩傾斜面５に沿った傾斜姿勢から垂直壁１０に沿った垂直姿勢に移行するので、開口６の短尺側の幅は、この通行券２１の姿勢の移行を妨げない幅とする（幅が狭いと、通行券２１が抜け出られなくなって詰まってしまう。）。
【００１９】
垂直壁１０に沿って滑り落ちる通行券２１は、やがてその下端が傾斜受け面９（あるいは、その上に積層されている先行の通行券２１）に当たり、傾斜受け面９に沿って下方に滑動しようとする（図２、図３（Ｂ）参照）。その際、通行券２１の中間部が、垂直壁１０から段部に１１に至る角部に接触しているため、傾斜受け面９に沿って下方に滑動しようとする動きに伴い、通行券２１は確実に傾倒しつつ、その下端が傾斜受け面９の下端部に向かうと共に、傾倒して傾斜受け面９上に積み重ねられていく（図２、図３（Ｃ），（Ｄ）参照）。
【００２０】
上述したように、傾斜受け面９は、３５度前後、即ち、３０〜４０度の範囲の傾斜面とされる。それ以上傾斜させた場合は、折曲壁７と傾斜受け面９との間のスペースが狭くなって回収可能量が減少し、それ以下の傾斜の場合は、傾斜受け面９上における滑落がスムーズにいかなくなるおそれがあるので、好ましくない。
【産業上の利用可能性】
【００２１】
上記のとおり本発明に係る通行券等回収ユニットは、構成がシンプルで、通行料金精算用の通行券その他の処理済み券類を整然と且つ確実に処理順に回収するのに好適で、道路通行料金精算用の通行券に限らず、他の同種の券類の処理装置についても利用可能であって、その産業上の利用可能性は大である。
【符号の説明】
【００２２】
１        通行券回収ユニット
２        ホッパー
３        ストッカー
４        急傾斜面
５        緩傾斜面
６        開口
７        折曲壁
８        側板
９        傾斜受け面
１０      垂直壁
１１      段部
１２      背面壁
２１      通行券
２２      料金精算機
２３      通行券挿入口
【図１】
2020129347.tif 000003
【図２】
2020129347.tif 000004
【図３】
2020129347.tif 000005
【図４】
2020129347.tif 000006
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
回収した券を受入れるホッパーと、前記ホッパーの下に配置されて、前記ホッパーから１枚ずつ落下してくる券を受けて積層状態に保管するストッカーとから成り、
前記ホッパーは、急傾斜面と前記急傾斜面よりも緩やかな緩傾斜面を対向面として有する四角錐状のもので、前記急傾斜面の下辺と前記緩傾斜面の下辺との間に、前記券を通過させる横長の開口を有し、
前記ストッカーは、クランク形状にされた垂直壁と段部と背面壁とから成る折曲壁と、前記折曲壁の両側に連設される側板と、底面に配置されて、前記段部の幅分前記垂直壁よりも奥に位置する前記背面壁の下端に向かって下り傾斜する傾斜受け面とにより構成され、
前記ホッパーは、その開口が前記側板間の前記垂直壁の上端より少し下がった位置にくるように配置され、前記ホッパーの緩傾斜面を滑落して開口から出る前記券が、前記垂直壁に当たって垂直に姿勢変更した後前記傾斜受け面上に落ち、前記傾斜受け面上に傾倒しつつ、その下端が前記傾斜受け面の下端部にまで滑動可能にしたことを特徴とする通行券等回収ユニット。
【請求項２】
前記傾斜受け面は、３０〜４０度の範囲の傾斜面である、請求項１に記載の通行券等回収ユニット。
【請求項３】
前記段部の幅は、前記券の長さの３分の１〜６分の１に設定される、請求項１又は２に記載の通行券等回収ユニット。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
上記課題を解決するための請求項１に記載の発明は、回収した券を受入れるホッパーと、前記ホッパーの下に配置されて、前記ホッパーから１枚ずつ落下してくる券を受けて積層状態に保管するストッカーとから成り、
前記ホッパーは、急傾斜面と前記急傾斜面よりも緩やかな緩傾斜面を対向面として有する四角錐状のもので、前記急傾斜面の下辺と前記緩傾斜面の下辺との間に、前記券を通過させる横長の開口を有し、
前記ストッカーは、クランク形状にされた垂直壁と段部と背面壁とから成る折曲壁と、前記折曲壁の両側に連設される側板と、底面に配置されて、前記段部の幅分前記垂直壁よりも奥に位置する前記背面壁の下端に向かって下り傾斜する傾斜受け面とにより構成され、
前記ホッパーは、その開口が前記側板間の前記垂直壁の上端より少し下がった位置にくるように配置され、前記ホッパーの緩傾斜面を滑落して開口から出る前記券が、前記垂直壁に当たって垂直に姿勢変更した後前記傾斜受け面上に落ち、前記傾斜受け面上に傾倒しつつ、その下端が前記傾斜受け面の下端部にまで滑動可能にしたことを特徴とする通行券等回収ユニットである。